(57)【特許請求の範囲】
【請求項１】
光ディスクが装填されたときに、即時書込み信号が付加されているか否かを判別する第１の工程と、前記即時書込み信号が付加された光ディスクと判断されたときに、前記光ディスクの初期欠陥又は二次欠陥についてのサーティファイが行われているか否かに拘わらず、データの強制的な書き込み開始が可能な記録待機モードに移行させる第２の工程と、
前記記録待機モードへの移行後から所定時間内に記録開始の操作が行われたときには前記データの強制的な書き込み動作が開始させられる第３の工程と、
前記所定時間内に記録開始の操作が行われないときには前記サーティファイを行う第４の工程と、を有することを特徴とする光ディスクの記録方法。
【請求項２】
前記第１の工程において、前記即時書込み信号が付加されていない光ディスクと判断されたときには、操作者の選択によって、前記光ディスクに前記即時書込み信号を付加するサーティファイモードを第５の工程として有することを特徴とする請求項１記載の光ディスクの記録方法。
【請求項３】
光ディスクが装填されたときに、即時書込み信号が付加されているか否かを判別する第１の機能と、前記即時書込み信号が付加された光ディスクと判断されたときには、前記光ディスクの初期欠陥又は二次欠陥についてのサーティファイが行われているか否かに拘わらず、データの強制的な書き込み開始が可能な記録待機モードに移行させる第２の機能と、
前記記録待機モードへの移行後から所定時間内に記録開始の操作が行われたときには前記データの強制的な書き込み動作が開始させられる第３の機能と、
前記所定時間内に記録開始の操作が行われないときには前記サーティファイを行う第４の機能と、を有することを特徴とする光ディスクの記録装置。
【請求項４】
前記第１の機能において、前記即時書込み信号が付加されていない光ディスクと判断されたときには、操作者の選択によって、前記光ディスクに前記即時書込み信号を付加するサーティファイモードを第５の機能として有することを特徴とする請求項３記載の光ディスクの記録装置。
【発明の詳細な説明】
【０００１】
【発明の属する技術分野】
本発明は、各種情報の書き込みが可能な光ディスク（例えば光磁気ディスク）に関り、特にビデオムービーなどリアルタイムでデータの記録が行われる光ディスクの記録方法および記録装置に関する。
【０００２】
【従来の技術】
従来より、情報の書き込みが可能な光ディスク（例えば光磁気ディスク）は、コンピュータのデータ保存用（ＰＣ用）として主に使用されている。
【０００３】
図３は、光ディスクが記録装置に装填されたときの従来の書き込み動作を示すフローチャートである。
【０００４】
図３に示されるように、従来のＰＣでは、光ディスクが装填されると（ステップＡ）、操作者の記録操作を待つ（ステップＢ）。そして記録操作釦（ＲＥＣ釦）などが押されると、まずステップＣの「サーティファイ」モードに移行する。
【０００５】
この「サーティファイ」モードでは、光ディスク上の欠陥箇所の検証が行われる。このモードでは、実際に光ディスクの内周から外周にかけて光ディスクのデータを読み込み、光ディスク上に発生している欠陥の検出が行われる。そして、欠陥が発見されると、光ディスク上にあらかじめ設けてあるスペア領域に、この欠陥に代わる交換セクタを割り当てる。この交換セクタの割り当ての方法は、各光ディスクの規格ごとに異なるが、その情報は欠陥リストとして光ディスクの内周側のリードイン領域の末尾や外周側のリードアウト領域の先頭などに書き込まれる。同時に欠陥リストは、記録装置内のメモリに登録される。
【０００６】
「サーティファイ」モードでは、光ディスクのデータ記録領域全体について欠陥検出が行われ、特に問題がない場合には、記録装置がこの光ディスクへの「記録可能」と判断し（ステップＤ）、記録動作を開始する。
【０００７】
またステップＣの「サーティファイ」モード中に、異常に多くの欠陥が発見されたときなどには、記録装置は「書込不可」と判断し、操作者にその旨が伝えられるとともに光ディスクが排出させられる（ステップＦ）。
【０００８】
【発明が解決しようとする課題】
上記「サーティファイ」モードは、光ディスクが記録データに対し高い信頼性が要求されるＰＣ用として使用される場合には、不可欠な機能である。
【０００９】
しかし、光ディスクは今後画像を記録するＡＶ用として使用することが予想されている。このようにＡＶ用として使用するときに、光ディスクを記録装置に装填するたびに、「サーティファイ」モードに移行していると、光ディスクに即座に記録を行わせようとする必要があるときに問題が生じる。
【００１０】
すなわち、ＡＶ用の場合には、ＰＣ用ほどのデータの信頼性が要求されないにもかかわらず、前記のように必ず「サーティファイ」モードへ移行していると、映像の記録開始まで必要以上に長い待ち時間を必要とし、例えばビデオカメラの場合には、撮影チャンスを逃すことにもなる。
【００１１】
本発明は上記従来の課題を解決するためのものであり、ディスクの使用用途または種類に応じて、「サーティファイ」動作が不要か否かをディスクの情報から得るようにして、「サーティファイ」動作が不要なディスクであると判断したときは、直ちに記録動作に移行できるようにした光ディスクの記録方法および記録装置を提供することを目的としている。
【００１２】
【課題を解決するための手段】
本発明は、光ディスクが装填されたときに、即時書込み信号が付加されているか否かを判別する第１の工程と、前記即時書込み信号が付加された光ディスクと判断されたときに、前記光ディスクの初期欠陥又は二次欠陥についてのサーティファイが行われているか否かに拘わらず、データの強制的な書き込み開始が可能な記録待機モードに移行させる第２の工程と、
前記記録待機モードへの移行後から所定時間内に記録開始の操作が行われたときには前記データの強制的な書き込み動作が開始させられる第３の工程と、
前記所定時間内に記録開始の操作が行われないときには前記サーティファイを行う第４の工程と、を有することを特徴とするものである。
【００１４】
本発明では、記録装置に光ディスクが装填されたときに、この光ディスクが識別信号を有しているか否かを装置側で知ることにより、サーティファイ動作を行うか否かの設定を自動的にできるようにしたものである。
【００１５】
すなわち、識別信号（例えば「１」）が付加された光ディスク（ＡＶ用）が記録装置に装填された場合には、優先的に記録装置の動作モードを「記録待機モード」などに移行させ、サーティファイを行うことなく直ちに記録動作に移行できるようにする。
【００１６】
上記光ディスクは、相変化光記録方式などであり、主としてＤＶＤ−ＲＡＭであるが、書き換え可能なディスクであれば、例えばＣＤ−ＲＷ（ＣＤ−ReWritable）、ＭＤ（Mini  Disk）、ＰＤ（Phasc  Disk），ＭＯ（Magnet  Optical）、あるいはＨＳ（Hyper  Strage）などその他のディスクであってもよい。
【００１７】
前記第１の工程において、前記即時書込み信号が付加されていない光ディスクと判断されたときには、操作者の選択によって、前記光ディスクに前記即時書込み信号を付加するサーティファイモードを第５の工程として有することが好ましい。
【００１８】
上記構成では、記録装置に、前記識別信号が付加されていない光ディスクが装填されると、例えば操作者にその旨を通知し、前記光ディスクに識別信号の書き込みを行って良いか否かの確認がなされ、操作者の指示があったときに、光ディスクに識別信号が書き込まれる。この識別信号を書き込むことにより、直ちに光ディスクにデータ記録を開始可能なモードに移行させることが可能になる。またＰＣ用などのようにサーティファイを行う必要のある光ディスクが装填されたときには、装置から排出することにより、ＰＣ用の光ディスクに記録データが誤って重ね書きされることがない。
【００２０】
さらに、識別信号（即時書込み信号）が記録された光ディスクが装填されたときに、直ちに強制的な書き込みが開始可能なモードに移行させられるが、このモードでは操作者が記録動作を行う意志があるか否かを識別するため所定時間待機する。そして所定時間待って記録動作を行う操作がなされなかったときには、サーティファイモードに移行する。このような待機時間を持たせることにより、直ちに記録動作を行うか、サーティファイを行うかの選択が可能になる。
【００２１】
【発明の実施の形態】
以下、本発明について図面を参照して説明する。
【００２２】
図１は、光ディスクの領域の割り当てを示す説明図である。図１に示す光ディスクは、例えば大容量且つ書き換え可能なＤＶＤ−ＲＡＭである。
【００２３】
ＤＶＤ−ＲＡＭなどの光ディスクは大容量であるため、コンピュータのデータ記録用（ＰＣ用）として使用されるばかりでなく、音声や映像データの記録用（ＡＶ用）としても使用される。
【００２４】
図１に示すように、光ディスク１は、最内周部分にリードイン領域１ａが、最外周部分にリードアウト領域１ｂがそれぞれ設けられ、前記リードイン領域１ａとリードアウト領域１ｂの間がデータ領域１ｃである。またデータ領域１ｃの内周側と前記リードイン領域１ａとの間、およびデータ領域１ｃの外周側には、スペア領域１ｄおよび１ｅがそれぞれ設けられている。
【００２５】
前記光ディスク１では、データの信頼性を保証するための、欠陥管理が行われている。光ディスク１上に発生する欠陥には、初期欠陥と二次欠陥とがある。前記初期欠陥は、工場出荷時を含めた光ディスク１への最初のフォーマット時のサーティファイ（初期欠陥検証）で発見されるものと、光ディスク１を購入した操作者（ユーザー）が光ディスク１に記録する前に行う２回目以降のサーティファイで発見されるものとがある。以下においては、前者を「初期欠陥のサーティファイ」と言い、後者を「２回目以降のサーティファイ」と称する。これらサーティファイでは、データ領域１ｃ内の欠陥部分が検出されるとともに、欠陥部分に代わって映像データを記録する交換セクタが前記スペア領域１ｄおよび１ｅ上に割り当てられる。
【００２６】
なお、工場出荷時には、通常は「初期欠陥のサーティファイ」済み符号を付加した状態（「１」に設定した状態）となっている。一方、従来のＰＣでは光ディスクが装填されると、必ず２回目以降のサーティファイが行われ、その結果が二次欠陥として記録されていた。
【００２７】
そして、上記初期欠陥および二次欠陥は、これらの状態をリスト化した初期欠陥リスト（ＰＤＬ）および二次欠陥リスト（ＳＤＬ）として、前記リードイン領域１ａの末尾と、リードアウト領域１ｂの先頭にそれぞれ２重化されて記録可能となっている。
【００２８】
また、本発明では前記光ディスク１内の所定の記録領域に、「即時書込み信号」（識別信号）を付加するデータ情報記録領域が設けられている。前記光ディスク１が、ＡＶ用である場合には前記データ情報記録領域に「１」に相当する信号が書き込まれ（付加され）、ＰＣ用である場合には前記データ情報記録領域は「０」の状態のまま（記録なし）である。そして、前記データ情報記録領域に「１」に相当する信号が記録された光ディスク１は、ＡＶ用として製造販売され、またデータ情報記録領域が「０」の光ディスク１はＰＣ用として製造販売される。または、光ディスク１を購入したユーザがＡＶ用として使用するときに、ビデオカメラなどの記録装置またはＰＣなどで、前記即時書込み信号「１」を自らの意志で記録してもよい。
【００２９】
図２は、本発明において光ディスクが記録装置に装填されたときの流れを示すフローチャートである。
【００３０】
図２のフローチャートの流れに沿って動作する記録装置は、ＡＶ用のレコーダーであり、例えばビデオカメラまたはホーム用のビデオデッキなどである。
（即時書込みを行う光ディスクが装填された場合）
この記録装置に、即時書込みを行う光ディスク１（例えばＡＶ用）が装填されると（ステップ１）、前記記録装置は、光ディスク１内の前記データ情報記録領域の記録情報を読み込む（ステップ２）。データ情報記録領域に「１」が記録されている場合、すなわち「即時書込み信号」が付加されている場合には、前記記録装置はＡＶ用などの即時書込みを行う光ディスク１が装填されたものと判断する。そして記録待機モードを設定する（ステップ３）。
【００３１】
この記録待機モードでは、リードイン領域１ａの末尾と、リードアウト領域１ｂの先頭の初期欠陥リスト（ＰＤＬ）（工場出荷時に記録された欠陥リスト）にアクセスし、「サーティファイ」済み符号の有無がチェックされる。ここで、「サーティファイ」済み符号が「１」である場合には、前記欠陥リストから「初期欠陥のサーティファイ」で発見された欠陥の位置を読み出し、記録装置内に設けられているメモリ内に登録する（ステップ３）。あるいは、購入後に「サーティファイ」が行われたことがある場合には、そのときに作成された欠陥リストから欠陥の位置を読み出し、前記同様にメモリ内に登録してもよい。
【００３２】
なお、この記録装置では、前記「サーティファイ」済み符号が「０」であったとしても、光ディスク１への書き込みが可能な「記録待機モード」へ移行する。すなわち、初期欠陥のサーティファイが行われているか否か、または２回目以降のサーティファイが行われているときでも、行われていないときでも、強制的に記録待機モードへ移行する。
【００３３】
前記「記録待機モード」へ移行すると、ステップ４においてタイマーが作動し、時間を計測し、この時間が予め設定されている所定時間を経過したか否か常に監視する（ステップ４）。この所定時間は３０秒から１分程度が好ましい。
【００３４】
ステップ４の所定時間内に、ステップ５において「ＲＥＣ釦」が操作されると、記録開始となり（ステップ６）、光ディスク１への書き込みが開始される。そしてデータの記録動作中に前記メモリ内に登録した「初期サーティファイ」の欠陥リストを参酌する。記録中にデータ領域１ｃの前記初期欠陥の部分に接近すると、この欠陥部分を飛び越してスペア領域１ｄ又は１ｅ上に割り当てられた交換セクタに映像データが書き込まれる（スリップ交替）。そして、再びデータ領域１ｃに戻り、先の欠陥部分の次の正常な部分から映像データの書き込みが行われる。あるいは、上記ステップ３で取得した欠陥リストを参酌した結果、欠陥の少ない光ディスク１と判断される場合には、再生映像の画質にそれほど大きな影響は生じないので、欠陥リストを無視して映像データをそのまま欠陥部分に記録してもよい。
【００３５】
このように、「即時書込み信号」を有する光ディスク、例えばＡＶ用に設定された光ディスク１が装填されると、記録装置のモードを「サーティファイ」モードに移行させることなく、強制的に「記録待機モード」（ステップ３）に移行させる。よって、サーティファイの完了を待つ時間を設けることなく即座に書き込みを開始することができる。
【００３６】
よって、光ディスク１が装填されてから記録待機モードに移行するまでの時間的損失、すなわち操作者に判断を求める時間的損失およびその判断の内容を記録装置に入力するための時間的損失等を生じさせない。
【００３７】
またステップ４において、「ＲＥＣ」釦が操作されることなく所定時間が経過すると、記録装置の動作モードが「サーティファイ」モードに移行する（ステップ７）。
【００３８】
この「サーティファイ」モードでは、従来のＰＣ用と同様に「２回目以降のサーティファイ」動作が自動的に行われる。そしてサーティファイ終了後に「サーティファイ」済み符号に書き換えられる。なお、このときに工場出荷時の初期欠陥のサーティファイのときの欠陥箇所と異なる欠陥箇所があったときには、初期欠陥リスト（ＰＤＬ）が書き換えられる。またステップ８では、２回目以降のサーティファイにより確認された欠陥箇所が装置内のメモリに記憶される。
【００３９】
そしてステップ９において「ＲＥＣ」釦が押されるのを待機し、押された場合には記録開始（ステップ６）となる。この場合には、前記「２回目以降のサーティファイ」で書き換えた欠陥リストを参照し、欠陥のないセクタにデータが記録される。すなわち、この場合の記録動作は、従来のＰＣ用の記録動作と同じである。この場合には、欠陥箇所にデータが記録されないため、きわめて高精度な画像信号などの記録が可能である。
（即時書込みを行わない光ディスクが装填された場合）
一方、この記録装置に即時書込みを行わない例えばＰＣ用の光ディスクが装填されると、以下の動作が行われる。
【００４０】
図２のステップ１において、光ディスク１が装填され、ステップ２において前記データ情報記録領域が読み込まれ、即時書込み信号が記録されておらず「０」である場合には、光ディスク１が例えばＰＣ用の光ディスク１であると判断される。
【００４１】
この場合、装填されたディスクがＰＣ用である旨が前記液晶表示部や音声などの手段で操作者に通知される（ステップ１０）。
【００４２】
ステップ１１では、操作者がこの光ディスク１に映像用信号を書き込むか否かの選択操作を行う。
【００４３】
例えば、ステップ１０において、「この光ディスク（ＰＣ用）に記録しますか？」等の表示などを行い、ステップ１１において操作者が「ＹＥＳ」を選択すると、この光ディスク１に対する書込み動作に移行する。この場合には、ステップ１２で「即時書込み信号」を光ディスク１のデータ情報記録領域に付加し、ステップ２の段階に移行させる。これにより、ステップ２においては、即時書込みを行えるディスクと判断し、ステップ３以下のフローに移行する。
【００４４】
一方、上記ステップ１１にて、操作者により「ＮＯ」が選択された場合には、記録装置の動作モードがイジェクトモードに設定され、光ディスク１が排出される（ステップ１３）。
【００４５】
以上により、映像用の記録装置に、例えばＰＣ用として使用する光ディスク１が装填された場合にも、操作者の認識と選択に応じてその光ディスク１に記録を行うことができるようになる。したがって、ＰＣ用などのように映像用の記録装置で即時書込みを行えないように設定した光ディスク１に、誤って映像データが上書きされることがない。
【００４６】
なお、上記実施の形態では、光ディスクとして主にＤＶＤ−ＲＡＭについて説明したが、その他書き換え可能なディスクであれば、例えばＣＤ−ＲＷ（ＣＤ−ReWritable）、ＭＤ（Mini  Disk）、ＰＤ（Phasc  Disk），ＭＯ（Magnet  Optical）、あるいはＨＳ（Hyper  Strage）などであってもよい。
【００４７】
また、上記においては、ビデオムービーにより、映像を記録する場合について説明したが、音声のみを記録する場合であってもよい。
【００４８】
【発明の効果】
以上詳述した本発明によれば、例えば映像用の記録装置などように、ディスクの信頼性よりも記録の迅速性を優先するような記録装置に、識別信号が付された光ディスクが装填されたときには、サーティファイに移行することなく、直ちに書込み動作に移行することができる。よって待機時間を不要にできる。
【００４９】
またＰＣ用などとして使用する識別信号のない光ディスクが映像用の記録装置に装填された場合には、操作者が直ちに記録に移行するか否かの選択ができ、ＰＣ用として使用するディスクに誤って映像データが上書きされるのを防止できる。
【図面の簡単な説明】
【図１】光ディスクの領域の割り当てを示す説明図、
【図２】本発明において光ディスクが記録装置に装填されたときの流れを示すフローチャート、
【図３】従来の光ディスクが記録装置に装填されたときの書き込み動作を示すフローチャート、
【符号の説明】
１  光ディスク
１ａ  リードイン領域
１ｂ  リードアウト領域
１ｃ  データ領域
１ｄ，１ｅ  スペア領域
【図１】
0003837257.tif 000002
【図２】
0003837257.tif 000003
【図３】
0003837257.tif 000004